【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
ａ）式（ＩＡ）で表され、式（Ｉ）のモノマーに由来する１つ以上の第１の繰り返し単位と、
【化１】
2020515893.tif 000001
（式中、
ｍは、０、１又は２の整数であり、
Ｒ１、Ｒ２、Ｒ３、Ｒ４は、同一又は異なり、それぞれ独立して、水素、ハロゲン、直鎖又は分岐鎖の（Ｃ１−Ｃ１２）アルキル、ヒドロキシ（Ｃ１−Ｃ１２）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキル、（Ｃ５−Ｃ１０）ヘテロアリール、（Ｃ５−Ｃ１０）ヘテロアリール（Ｃ１−Ｃ３）アルキル、ヒドロキシ、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル、（Ｃ５−Ｃ１０）ヘテロアリールオキシ（Ｃ１−Ｃ３）アルキル、（Ｃ６−Ｃ１０）アリールオキシ、（Ｃ５−Ｃ１０）ヘテロアリールオキシ、（Ｃ１−Ｃ６）アシルオキシ、−（ＣＨ２）ａ−Ｃ（ＣＦ３）２ＯＲ、−（ＣＨ２）ａ−ＣＯ２Ｒ、
式（Ａ）の基：
【化２】
2020515893.tif 000002
式（Ｂ）の基：
【化３】
2020515893.tif 000003
からなる群より選択され、
ここで、
ａは、０〜４の整数であり、
ｂは、０〜１０の整数であり、
ｃは、０、１、２、３、又は４の整数であり、
Ｒは、水素、直鎖又は分岐鎖の（Ｃ１−Ｃ６）アルキル、（Ｃ５−Ｃ８）シクロアルキル、（Ｃ６−Ｃ１０）アリール、（Ｃ７−Ｃ１２）アラルキルからなる群より選択される。）
式（ＩＩＡ）又は式（ＩＩＢ）で表され、式（ＩＩ）のモノマーに由来する１つ以上の第２の繰り返し単位とを含むポリマー、
【化４】
2020515893.tif 000004
（式中、
Ｚは、Ｏ又はＮ−Ｒ８であり、ここで、Ｒ８は水素、直鎖又は分岐鎖の（Ｃ１−Ｃ９）アルキル、（Ｃ３−Ｃ７）シクロアルキル、（Ｃ６−Ｃ１２）アリールからなる群より選択され、
Ｒ５、Ｒ６、Ｒ７は、それぞれ互いに独立して、水素、直鎖又は分岐鎖の（Ｃ１−Ｃ９）アルキル、フルオロ化又はパーフルオロ化（Ｃ１−Ｃ９）アルキル、（Ｃ６−Ｃ１２）アリール、（Ｃ６−Ｃ１２）アリール（Ｃ１−Ｃ１２）アルキルからなる群より選択される。）
ここで、前記の基は、それぞれ、原子価が許容する限り、直鎖又は分岐鎖の（Ｃ１−Ｃ６）アルキル、（Ｃ３−Ｃ７）シクロアルキル、（Ｃ１−Ｃ６）パーフルオロアルキル、（Ｃ１−Ｃ６）アルコキシ、（Ｃ３−Ｃ７）シクロアルコキシ、（Ｃ１−Ｃ６）パーフルオロアルコキシ、ハロゲン、ヒドロキシ、直鎖又は分岐鎖のヒドロキシ（Ｃ１−Ｃ６）アルキル、アセトキシ、フェニル、ヒドロキシフェニル、アセトキシフェニルからなる群より選択される１つ以上の基で置換されてもよい、ポリマー；
ｂ）赤色染料、緑色染料、青色染料、黄色染料、マゼンタ染料、黒色染料及びシアン染料からなる群から選択された染料；
ｃ）光活性化合物；及び
ｄ）担体溶媒、からなる組成物。
【請求項２】
ＺがＯであり、Ｒ５及びＲ６が水素であり、Ｒ７が水素であるか、或いは直鎖又は分岐鎖の（Ｃ１−Ｃ９）アルキルである、請求項１に記載の組成物。
【請求項３】
ｍが０であり、Ｒ１、Ｒ２、Ｒ３、Ｒ４が、独立して、水素、ヘキシル、デシル、−（ＣＨ２）２−Ｃ（ＣＦ３）２ＯＨ、−（ＣＨ２）２−ＣＯ２Ｈ、ベンジル、フェネチルを表す、請求項１に記載の組成物。
【請求項４】
前記ポリマーは、
ビシクロ［２．２．１］ヘプト−２−エン（ＮＢ）；
ノルボルネニル−２−トリフルオロメチル−３，３，３−トリフルオロプロパン−２−オール（ＨＦＡＮＢ）；
５−フェネチルビシクロ［２．２．１］ヘプト−２−エン（ＰＥＮＢ）；及び
５−（（２−（２−メトキシエトキシ）エトキシ）メチル）ビシクロ［２．２．１］ヘプト−２−エン（ＮＢＴＯＮ）；
からなる群より選択される前記モノマーに由来する１つ以上の第１の繰り返し単位を含む、請求項１に記載の組成物。
【請求項５】
前記ポリマーは、
無水マレイン酸；及び
２−メチル−無水マレイン酸からなる群より選択される前記モノマーに由来する１つ以上の第２の繰り返し単位を含む、請求項１に記載の組成物。
【請求項６】
前記ポリマーは、
５−フェネチルビシクロ［２．２．１］ヘプト−２−エンに由来する繰り返し単位と、メタノールで開環した開環無水マレイン酸の繰り返し単位とを含有するコポリマー、
ビシクロ［２．２．１］ヘプト−２−エンに由来する繰り返し単位と、ｎ−ブタノールで開環した開環無水マレイン酸の繰り返し単位とを含有するコポリマー、
５−フェネチルビシクロ［２．２．１］ヘプト−２−エン及び５−デシルビシクロ［２．２．１］ヘプト−２−エンに由来する繰り返し単位と、メタノールで開環した開環無水マレイン酸の繰り返し単位とを含有するターポリマー、
５−フェネチルビシクロ［２．２．１］ヘプト−２−エン（ＰＥＮＢ）に由来する繰り返し単位と、ｎ−ブチルアミンで開環した開環無水マレイン酸の繰り返し単位とを含有するコポリマーからなる群より選択される、請求項１に記載の組成物。
【請求項７】
前記染料は、溶剤染料、分散染料、酸性染料、塩基性染料、硫化染料及び建染染料からなる群から選択された染料である、請求項１に記載の組成物。
【請求項８】
前記染料は、前記組成物と混和可能である、請求項７に記載の組成物。
【請求項９】
前記染料は、
【化５】
2020515893.tif 000005
コバルトと複合化された１４Ｈ−ベンゾ［４，５］イソキノリノ［２，１−ａ］ピリミジン−１４−オン；
【化６】
2020515893.tif 000006
クロムと複合化された（Ｚ）−４−（２−（２−ヒドロキシ−４−ニトロフェニル）ヒドラジニリデン）−５−メチル−２−フェニル−２，４−ジヒドロ−３Ｈ−ピラゾール−３−オン；
【化８】
2020515893.tif 000007
クプラート（１−）、［Ｃ，Ｃ，Ｃ−トリス［［［３−［（２−エチルヘキシル）オキシ］プロピル］アミノ］スルホニル］−２９Ｈ，３１Ｈ−フタロシアニン−Ｃ−スルホナト（３−）Ｎ２９，Ｎ３０，Ｎ３１，Ｎ３２］−、水素、３−［（２−エチルヘキシル）オキシ］−１−プロパンアミン（１：１）の化合物；
【化９】
2020515893.tif 000008
１，４−ビス（アルキルアミノ）アントラセンジオン（Ｒは、メチル、エチル、ｎ−プロピル、ｎ−ブチル、ｎ−ペンチル、２−エチルヘキシル、３−（（２−エチルヘキシル）オキシ）プロピル、３−メトキシプロピル、フェニル又はｐ−トリルである。）；
【化１０】
2020515893.tif 000009
１，４−ビス（メシチルアミノ）アントラセン−９，１０−ジオン；
【化１１】
2020515893.tif 000010
Ｎ−（４−（（４−ヒドロキシ−９，１０−ジオキソ−９，１０−ジヒドロアントラセン−１−イル）アミノ）フェニル）アセトアミド；及び
黒色モノアゾ染料
からなる群より選択される、請求項１に記載の組成物。
【請求項１０】
前記光活性化合物は、１，２−ナフトキノンジアジド−５−スルホニル部分、１，２−ナフトキノンジアジド−４−スルホニル部分（それぞれ構造式（ＩＩＩａ）、（ＩＩＩｂ）で表される。）：
【化１２】
2020515893.tif 000011
及び、構造式（ＩＩＩｃ）で表されるスルホニルベンゾキノンジアジド基
からなる群から選択される部分を含む、請求項１に記載の組成物。
【請求項１１】
前記光活性化合物は、
【化１３】
2020515893.tif 000012
であり、
ここで、少なくとも１つのＱは、式（ＶＩＩａ）又は（ＶＩＩｂ）の基であり、
【化１４】
2020515893.tif 000013
残りのＱは水素である、請求項１に記載の組成物。
【請求項１２】
前記組成物は、
【化１５】
2020515893.tif 000014
２，２’−（（（２−エチル−２−（（オキシラン−２−イルメトキシ）メチル）プロパン−１，３−ジイル）ビス（オキシ））ビス（メチレン））ビス（オキシラン）；
【化１６】
2020515893.tif 000015
グリセロールのポリ（オキシプロピレン）エポキシドエーテルのトリグリシジルエーテル；
【化１７】
2020515893.tif 000016
ビス（４−（オキシラン−２−イルメトキシ）フェニル）メタン；
からなる群より選択される１つ以上の架橋剤をさらに含む、請求項１に記載の組成物。
【請求項１３】
前記溶媒は、プロピレングリコールモノメチルエーテルアセテート（ＰＧＭＥＡ）、γ−ブチロラクトン（ＧＢＬ）、及びＮ−メチルピロリドン（ＮＭＰ）からなる群より選択される、請求項１に記載の組成物。
【請求項１４】
前記組成物は、
溶解促進剤；
接着促進剤；
酸化防止剤；
界面活性剤；及び
これらの組み合わせの混合物からなる群より選択される１つ以上の添加剤をさらに含む、請求項１に記載の組成物。
【請求項１５】
カラーフィルタ機能を備えたマイクロレンズアレイを含む物品であって、
前記アレイは、請求項１に記載の組成物を含む、物品。
【請求項１６】
前記アレイは、チェッカーボード構成である、請求項１５に記載の物品。
【請求項１７】
超小型電子又は光電子デバイスにおけるカラーフィルタマイクロレンズアレイ作製用膜を形成する方法であって、
請求項１に記載の組成物で適切な基板をコーティングして膜を形成するステップ；
前記膜を適切な放射線で露光してマスクでパターン化するステップ；
露光後の前記膜を現像してフォトパターンを形成するステップ；及び
前記パターン化された膜を適切な温度に加熱して、マイクロレンズアレイを形成するステップを含む、方法。
【請求項１８】
請求項１に記載の組成物により形成された、マイクロレンズアレイ。
【請求項１９】
請求項１８に記載のマイクロレンズアレイを含む、光電子又は超小型電子デバイス。
【手続補正２】
【補正対象書類名】明細書
【補正対象項目名】０１３８
【補正方法】変更
【補正の内容】
【０１３８】
上記の実施例を挙げて本発明を説明したが、本発明はこれらに限定されると解釈されてはならず、むしろ、本発明は上述のように一般的な領域を含む。本発明の趣旨から逸脱しない限り様々な改良案及び実施形態を作成することも可能である。
この明細書により開示される事項には、以下のものが含まれる。
〔１〕  ａ）式（ＩＡ）で表され、式（Ｉ）のモノマーに由来する１つ以上の第１の繰り返し単位と、
【化５１】
2020515893.tif 000017
（式中、
ｍは、０、１又は２の整数であり、
Ｒ１、Ｒ２、Ｒ３、Ｒ４は、同一又は異なり、それぞれ独立して、水素、ハロゲン、直鎖又は分岐鎖の（Ｃ１−Ｃ１２）アルキル、ヒドロキシ（Ｃ１−Ｃ１２）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキル、（Ｃ５−Ｃ１０）ヘテロアリール、（Ｃ５−Ｃ１０）ヘテロアリール（Ｃ１−Ｃ３）アルキル、ヒドロキシ、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル、（Ｃ５−Ｃ１０）ヘテロアリールオキシ（Ｃ１−Ｃ３）アルキル、（Ｃ６−Ｃ１０）アリールオキシ、（Ｃ５−Ｃ１０）ヘテロアリールオキシ、（Ｃ１−Ｃ６）アシルオキシ、−（ＣＨ２）ａ−Ｃ（ＣＦ３）２ＯＲ、−（ＣＨ２）ａ−ＣＯ２Ｒ、
式（Ａ）の基：
【化５２】
2020515893.tif 000018
式（Ｂ）の基：
【化５３】
2020515893.tif 000019
からなる群より選択され、
ここで、
ａは、０〜４の整数であり、
ｂは、０〜１０の整数であり、
ｃは、０、１、２、３、又は４の整数であり、
Ｒは、水素、直鎖又は分岐鎖の（Ｃ１−Ｃ６）アルキル、（Ｃ５−Ｃ８）シクロアルキル、（Ｃ６−Ｃ１０）アリール、（Ｃ７−Ｃ１２）アラルキルからなる群より選択される。）
式（ＩＩＡ）又は式（ＩＩＢ）で表され、式（ＩＩ）のモノマーに由来する１つ以上の第２の繰り返し単位とを含むポリマー、
【化５４】
2020515893.tif 000020
（式中、
Ｚは、Ｏ又はＮ−Ｒ８であり、ここで、Ｒ８は水素、直鎖又は分岐鎖の（Ｃ１−Ｃ９）アルキル、（Ｃ３−Ｃ７）シクロアルキル、（Ｃ６−Ｃ１２）アリールからなる群より選択され、
Ｒ５、Ｒ６、Ｒ７は、それぞれ互いに独立して、水素、直鎖又は分岐鎖の（Ｃ１−Ｃ９）アルキル、フルオロ化又はパーフルオロ化（Ｃ１−Ｃ９）アルキル、（Ｃ６−Ｃ１２）アリール、（Ｃ６−Ｃ１２）アリール（Ｃ１−Ｃ１２）アルキルからなる群より選択される。）
ここで、前記の基は、それぞれ、原子価が許容する限り、直鎖又は分岐鎖の（Ｃ１−Ｃ６）アルキル、（Ｃ３−Ｃ７）シクロアルキル、（Ｃ１−Ｃ６）パーフルオロアルキル、（Ｃ１−Ｃ６）アルコキシ、（Ｃ３−Ｃ７）シクロアルコキシ、（Ｃ１−Ｃ６）パーフルオロアルコキシ、ハロゲン、ヒドロキシ、直鎖又は分岐鎖のヒドロキシ（Ｃ１−Ｃ６）アルキル、アセトキシ、フェニル、ヒドロキシフェニル、アセトキシフェニルからなる群より選択される１つ以上の基で置換されてもよい、ポリマー；
ｂ）赤、緑、青、黄、マゼンタ、黒、シアンの着色材料から選択された着色剤；
ｃ）光活性化合物；及び
ｄ）担体溶媒、からなる組成物。
〔２〕  ＺがＯであり、Ｒ５及びＲ６が水素であり、Ｒ７が水素であるか、或いは直鎖又は分岐鎖の（Ｃ１−Ｃ９）アルキルである、上記〔１〕に記載の組成物。
〔３〕  ｍが０であり、Ｒ１、Ｒ２、Ｒ３、Ｒ４が、独立して、水素、ヘキシル、デシル、−（ＣＨ２）２−Ｃ（ＣＦ３）２ＯＨ、−（ＣＨ２）２−ＣＯ２Ｈ、ベンジル、フェネチルを表す、上記〔１〕に記載の組成物。
〔４〕  前記ポリマーは、
ビシクロ［２．２．１］ヘプト−２−エン（ＮＢ）；
ノルボルネニル−２−トリフルオロメチル−３，３，３−トリフルオロプロパン−２−オール（ＨＦＡＮＢ）；
５−フェネチルビシクロ［２．２．１］ヘプト−２−エン（ＰＥＮＢ）；及び
５−（（２−（２−メトキシエトキシ）エトキシ）メチル）ビシクロ［２．２．１］ヘプト−２−エン（ＮＢＴＯＮ）；
からなる群より選択される前記モノマーに由来する１つ以上の第１つの繰り返し単位を含む、上記〔１〕に記載の組成物。
〔５〕  前記ポリマーは、
無水マレイン酸；及び
２−メチル−無水マレイン酸からなる群より選択される前記モノマーに由来する１つ以上の第２の繰り返し単位を含む、上記〔１〕に記載の組成物。
〔６〕  前記ポリマーは、
５−フェネチルビシクロ［２．２．１］ヘプト−２−エンに由来する繰り返し単位と、メタノールで開環した開環無水マレイン酸の繰り返し単位とを含有するコポリマー、
ビシクロ［２．２．１］ヘプト−２−エンに由来する繰り返し単位と、ｎ−ブタノールで開環した開環無水マレイン酸の繰り返し単位とを含有するコポリマー、
５−フェネチルビシクロ［２．２．１］ヘプト−２−エン及び５−デシルビシクロ［２．２．１］ヘプト−２−エンに由来する繰り返し単位と、メタノールで開環した開環無水マレイン酸の繰り返し単位とを含有するターポリマー、
５−フェネチルビシクロ［２．２．１］ヘプト−２−エン（ＰＥＮＢ）に由来する繰り返し単位と、ｎ−ブチルアミンで開環した開環無水マレイン酸の繰り返し単位とを含有するコポリマーからなる群より選択される、上記〔１〕に記載の組成物。
〔７〕  前記着色剤は、染料である、上記〔１〕に記載の組成物。
〔８〕  前記染料は、前記組成物と混和可能である、上記〔７〕に記載の組成物。
〔９〕  前記着色剤は、
【化５５】
2020515893.tif 000021
コバルトと複合化された１４Ｈ−ベンゾ［４，５］イソキノリノ［２，１−ａ］ピリミジン−１４−オン；
【化５６】
2020515893.tif 000022
クロムと複合化された（Ｚ）−４−（２−（２−ヒドロキシ−４−ニトロフェニル）ヒドラジニリデン）−５−メチル−２−フェニル−２，４−ジヒドロ−３Ｈ−ピラゾール−３−オン；
【化５７】
2020515893.tif 000023
銅が複合化されたフタロシアニン；
【化５８】
2020515893.tif 000024
クプラート（１−）、［Ｃ，Ｃ，Ｃ−トリス［［［３−［（２−エチルヘキシル）オキシ］プロピル］アミノ］スルホニル］−２９Ｈ，３１Ｈ−フタロシアニン−Ｃ−スルホナト（３−）Ｎ２９，Ｎ３０，Ｎ３１，Ｎ３２］−、水素、３−［（２−エチルヘキシル）オキシ］−１−プロパンアミン（１：１）の化合物；
【化５９】
2020515893.tif 000025
１，４−ビス（アルキルアミノ）アントラセンジオン（Ｒは、メチル、エチル、ｎ−プロピル、ｎ−ブチル、ｎ−ペンチル、２−エチルヘキシル、３−（（２−エチルヘキシル）オキシ）プロピル、３−メトキシプロピル、フェニル、ｐ−トリル）；
【化６０】
2020515893.tif 000026
１，４−ビス（メシチルアミノ）アントラセン−９，１０−ジオン；
【化６１】
2020515893.tif 000027
Ｎ−（４−（（４−ヒドロキシ−９，１０−ジオキソ−９，１０−ジヒドロアントラセン−１−イル）アミノ）フェニル）アセトアミド；及び
黒色モノアゾ染料
からなる群より選択される、上記〔１〕に記載の組成物。
〔１０〕  前記着色剤は、顔料である、上記〔１〕に記載の組成物。
〔１１〕  前記光活性化合物は、それぞれ、構造式（ＩＩＩａ）及び（ＩＩＩｂ）で表される１，２−ナフトキノンジアジド−５−スルホニル部分及び／又は１，２−ナフトキノンジアジド−４−スルホニル部分：
【化６２】
2020515893.tif 000028
又は、構造式（ＩＩＩｃ）で表されるスルホニルベンゾキノンジアジド基
を含む、上記〔１〕に記載の組成物。
〔１２〕  前記光活性化合物は、
【化６３】
2020515893.tif 000029
であり、
ここで、少なくとも１つのＱは、式（ＶＩＩａ）又は（ＶＩＩｂ）の基であり、
【化６４】
2020515893.tif 000030
残りのＱは水素である、上記〔１〕に記載の組成物。
〔１３〕  前記組成物は、
【化６５】
2020515893.tif 000031
２，２’−（（（２−エチル−２−（（オキシラン−２−イルメトキシ）メチル）プロパン−１，３−ジイル）ビス（オキシ））ビス（メチレン））ビス（オキシラン）；
【化６６】
2020515893.tif 000032
グリセロールのポリ（オキシプロピレン）エポキシドエーテルのトリグリシジルエーテル；
【化６７】
2020515893.tif 000033
ビス（４−（オキシラン−２−イルメトキシ）フェニル）メタン；
からなる群より選択される１つ以上の架橋剤をさらに含む、上記〔１〕に記載の組成物。
〔１４〕  前記溶媒は、プロピレングリコールモノメチルエーテルアセテート（ＰＧＭＥＡ）、γ−ブチロラクトン（ＧＢＬ）、及びＮ−メチルピロリドン（ＮＭＰ）からなる群より選択される、上記〔１〕に記載の組成物。
〔１５〕  前記組成物は、
溶解促進剤；
接着促進剤；
酸化防止剤；
界面活性剤；及び
これらの組み合わせの混合物からなる群より選択される１つ以上の添加剤をさらに含む、上記〔１〕に記載の組成物。
〔１６〕  カラーフィルタ機能を備えたマイクロレンズアレイを含む物品であって、
前記アレイは、上記〔１〕に記載の組成物を含む、物品。
〔１７〕  前記アレイは、チェッカーボード構成である、上記〔１６〕に記載の物品。
〔１８〕  超小型電子又は光電子デバイスにおけるカラーフィルタマイクロレンズアレイ作製用膜を形成する方法であって、
上記〔１〕に記載の組成物で適切な基板をコーティングして膜を形成するステップ；
前記膜を適切な放射線で露光してマスクでパターン化するステップ；
露光後の前記膜を現像してフォトパターンを形成するステップ；及び
前記パターン化された膜を適切な温度に加熱して、マイクロレンズアレイを形成するステップを含む、方法。
〔１９〕  上記〔１〕に記載の組成物から得られる、カラーフィルタマイクロレンズ製品。
〔２０〕  上記〔１９〕に記載の製品を含む、光電子又は超小型電子デバイス。